(57)【要約】【課題】建物内の階毎の利用情報を携帯端末に提供するマルチメディアサービスシステム及びその運用方法を提供する。【解決手段】本発明のマルチメディアサービスシステムは、該当建物に位置する場合、建物の階情報をサーバから獲得して高度を計算した後、計算した高度に該当する階を階情報から把握し、把握した階に対するマルチメディアサービスをサーバから提供されて出力する携帯端末と、建物の高度毎の階情報及び階毎のマルチメディアサービスを携帯端末に提供するサーバと、を有する。【選択図】図３
2013172452.tif 000002
【特許請求の範囲】
【請求項１】
該当建物に位置する場合、該建物の階情報をサーバから獲得して高度を計算した後、該計算した高度に該当する階を前記階情報から把握し、該把握した階に対するマルチメディアサービスを前記サーバから提供されて出力する携帯端末と、
前記建物の高度毎の階情報及び階毎のマルチメディアサービスを前記携帯端末に提供するサーバと、を有することを特徴とするマルチメディアサービスシステム。
【請求項２】
前記携帯端末は、
前記サーバとの通信を可能にするハードウェア及びソフトウェア構成を有する通信インタフェース部と、
位置を把握するＧＰＳ受信部と、
高度計を構成して高度を測定する高度測定部と、
前記サーバから受信したマルチメディアサービスを出力するスピーカ又は表示部と、
前記サーバから受信した前記建物の階情報を保存する保存部と、
前記ＧＰＳ受信部から把握した位置に対する建物の階情報を前記サーバから獲得して前記保存部に保存させ、前記高度測定部から測定した高度に該当する階を前記階情報から把握して該把握した階に対するマルチメディアサービスを前記サーバから提供されて前記表示部及びスピーカに出力させる制御部と、を備えることを特徴とする請求項１に記載のマルチメディアサービスシステム。
【請求項３】
前記サーバは、
前記携帯端末との通信を可能にするハードウェア及びソフトウェア構成を有する通信インタフェース部と、
前記建物の階情報を前記携帯端末に伝送する階情報提供部と、
前記建物の階毎のマルチメディアサービスを前記携帯端末に伝送するマルチメディアサービス提供部と、を備えることを特徴とする請求項１に記載のマルチメディアサービスシステム。
【請求項４】
前記携帯端末及び前記サーバは、
セルラー通信又はワイファイ通信のうちのいずれか１つを利用して通信接続することを特徴とする請求項１に記載のマルチメディアサービスシステム。
【請求項５】
該当建物に属するサーバの開放型ネットワークに参加する場合、該建物の階情報をサーバから獲得して高度を計算した後、該計算した高度に該当する階を前記階情報から把握して該把握した階に対するマルチメディアサービスを前記サーバから提供されて出力する携帯端末と、
前記建物の高度毎の階情報及び階毎のマルチメディアサービスを前記携帯端末に提供するサーバと、を有することを特徴とするマルチメディアサービスシステム。
【請求項６】
前記携帯端末は、
前記サーバの通信半径に進入する場合、前記サーバの開放型ネットワークに参加し、前記サーバとの通信を可能にするハードウェア及びソフトウェア構成を有する通信インタフェース部と、
高度計を含み高度を測定する高度測定部と、
前記サーバから受信したマルチメディアサービスを出力するスピーカ又は表示部と、
前記サーバから受信した前記建物の階情報を保存する保存部と、
前記建物の階情報を前記サーバから獲得して前記保存部に保存させ、前記高度測定部から測定した高度に該当する階を前記階情報から把握して該把握した階に対するマルチメディアサービスを前記サーバから提供されて前記表示部及びスピーカに出力させる制御部と、を備えることを特徴とする請求項５に記載のマルチメディアサービスシステム。
【請求項７】
前記サーバは、
前記携帯端末との通信を可能にするハードウェア及びソフトウェア構成を有する通信インタフェース部と、
前記建物の階情報を前記携帯端末に伝送する階情報提供部と、
前記建物の階毎のマルチメディアサービスを前記携帯端末に伝送するマルチメディアサービス提供部と、を備えることを特徴とする請求項５に記載のマルチメディアサービスシステム。
【請求項８】
前記開放型ネットワークは、ＤＬＮＡであることを特徴とする請求項５に記載のマルチメディアサービスシステム。
【請求項９】
携帯端末が該当建物に位置することを把握して該建物の階情報をサーバに要求し、該サーバが前記建物の階情報を前記携帯端末に伝送するステップと、
前記携帯端末が前記サーバから前記建物の階情報を受信して保存し、高度を測定して該測定した高度に該当する階を前記階情報から把握した後、該把握した階に対するマルチメディアサービスを前記サーバに要求し、前記サーバが前記階に対するマルチメディアサービスを前記携帯端末に伝送するステップと、
前記携帯端末が前記サーバから前記階に対するマルチメディアサービスを受信して出力するステップと、を有することを特徴とするマルチメディアサービスシステムの運用方法。
【請求項１０】
携帯端末が該当建物に属するサーバの開放型ネットワークに参加して該建物の階情報を前記サーバに要求し、該サーバが前記建物の階情報を前記携帯端末に伝送するステップと、
前記携帯端末が前記サーバから前記建物の階情報を受信して保存し、高度を測定して該測定した高度に該当する階を前記階情報から把握した後、該把握した階に対するマルチメディアサービスを前記サーバに要求し、前記サーバが前記階に対するマルチメディアサービスを前記携帯端末に伝送するステップと、
前記携帯端末が前記サーバから前記階に対するマルチメディアサービスを受信して出力するステップと、を有することを特徴とするマルチメディアサービスシステムの運用方法。
【発明の詳細な説明】
【技術分野】
【０００１】
本発明は、マルチメディアサービスシステム及びその運用方法に関する。
【背景技術】
【０００２】
最近、建物は高度化且つ大型化している。しかし、建物に対する利用情報は標識を介して簡単に提供することに留まっており、ユーザが建物を利用するには難しいものがある。例えば、ユーザは特定の店が建物内のどこに位置するのかを探すことに時間を費やしがちである。
【０００３】
現在、電子通信産業の発展に伴い携帯電話（セルラーフォン）、電子手帳、個人用複合端末などの携帯端末は現代社会の必需品になりつつあり、急変する情報伝達の重要な手段になっている。しかし、建物内の利用情報は携帯端末を介して提供されておらず、結局、ユーザの便宜性を増大するために携帯端末を介して建物内の情報を提供するシステムを摸索すべきである。
【先行技術文献】
【特許文献】
【０００４】
【特許文献１】韓国特許出願公開第１０−２０１１−００７８２０４号明細書
【発明の概要】
【発明が解決しようとする課題】
【０００５】
本発明は、上記従来の問題点に鑑みてなされたものであって、本発明の目的は、建物に対する利用情報を、携帯端末を介して提供するマルチメディアサービスシステム及びその運用方法を提供することにある。
また、本発明の目的は、建物の階毎に区分されたマルチメディアサービスを携帯端末に提供するためのシステム及びその運用方法を提供することにある。
また、本発明の目的は、該当建物の階情報をサーバから獲得して高度を計算した後、計算した高度に該当する階を階情報から把握し、把握した階に対するマルチメディアサービスをサーバから提供されて出力する携帯端末を提供することにある。
また、本発明の目的は、建物の高度毎の階情報及び階毎のマルチメディアサービスを携帯端末に提供するサーバを提供することにある。
【課題を解決するための手段】
【０００６】
上記目的を達成するためになされた本発明の一態様によるマルチメディアサービスシステムは、該当建物に位置する場合、該建物の階情報をサーバから獲得して高度を計算した後、該計算した高度に該当する階を前記階情報から把握し、該把握した階に対するマルチメディアサービスを前記サーバから提供されて出力する携帯端末と、前記建物の高度毎の階情報及び階毎のマルチメディアサービスを前記携帯端末に提供するサーバと、を有することを特徴とする。
【０００７】
前記携帯端末は、前記サーバとの通信を可能にするハードウェア及びソフトウェア構成を有する通信インタフェース部と、位置を把握するＧＰＳ受信部と、高度計を構成して高度を測定する高度測定部と、前記サーバから受信したマルチメディアサービスを出力するスピーカ又は表示部と、前記サーバから受信した前記建物の階情報を保存する保存部と、前記ＧＰＳ受信部から把握した位置に対する建物の階情報を前記サーバから獲得して前記保存部に保存させ、前記高度測定部から測定した高度に該当する階を前記階情報から把握して該把握した階に対するマルチメディアサービスを前記サーバから提供されて前記表示部及びスピーカに出力させる制御部と、を備えることができる。
前記サーバは、前記携帯端末との通信を可能にするハードウェア及びソフトウェア構成を有する通信インタフェース部と、前記建物の階情報を前記携帯端末に伝送する階情報提供部と、前記建物の階毎のマルチメディアサービスを前記携帯端末に伝送するマルチメディアサービス提供部と、を備えることができる。
前記携帯端末及び前記サーバは、セルラー通信又はワイファイ通信のうちのいずれか１つを利用して通信接続することができる。
【０００８】
上記目的を達成するためになされた本発明の他の態様によるマルチメディアサービスシステムは、該当建物に属するサーバの開放型ネットワークに参加する場合、該建物の階情報をサーバから獲得して高度を計算した後、該計算した高度に該当する階を前記階情報から把握して該把握した階に対するマルチメディアサービスを前記サーバから提供されて出力する携帯端末と、前記建物の高度毎の階情報及び階毎のマルチメディアサービスを前記携帯端末に提供するサーバと、を有することを特徴とする。
【０００９】
上記目的を達成するためになされた本発明の一態様によるマルチメディアサービスシステムの運用方法は、携帯端末が該当建物に位置することを把握して該建物の階情報をサーバに要求し、該サーバが前記建物の階情報を前記携帯端末に伝送するステップと、前記携帯端末が前記サーバから前記建物の階情報を受信して保存し、高度を測定して該測定した高度に該当する階を前記階情報から把握した後、該把握した階に対するマルチメディアサービスを前記サーバに要求し、前記サーバが前記階に対するマルチメディアサービスを前記携帯端末に伝送するステップと、前記携帯端末が前記サーバから前記階に対するマルチメディアサービスを受信して出力するステップと、を有することを特徴とする。
【００１０】
上記目的を達成するためになされた本発明の他の態様によるマルチメディアサービスシステムの運用方法は、携帯端末が該当建物に属するサーバの開放型ネットワークに参加して該建物の階情報を前記サーバに要求し、該サーバが前記建物の階情報を前記携帯端末に伝送するステップと、前記携帯端末が前記サーバから前記建物の階情報を受信して保存し、高度を測定して該測定した高度に該当する階を前記階情報から把握した後、該把握した階に対するマルチメディアサービスを前記サーバに要求し、前記サーバが前記階に対するマルチメディアサービスを前記携帯端末に伝送するステップと、前記携帯端末が前記サーバから前記階に対するマルチメディアサービスを受信して出力するステップと、を有することを特徴とする。
【発明の効果】
【００１１】
本発明のマルチメディアサービスシステム及びその運用方法によれば、ユーザに建物内の利用情報を階毎に提供することができるため、ユーザの利用便宜性を改善することができる。
【図面の簡単な説明】
【００１２】
【図１】本発明の一実施形態によるマルチメディアサービスシステムを示す図である。
【図２】本発明の他の実施形態によるマルチメディアサービスシステムを示す図である。
【図３】図２に示すマルチメディアサービスシステムの運用手順を概略的に示す図である。
【図４】本発明の一実施形態によるマルチメディアサービスシステムのブロック構成図である。
【図５】図１に示すマルチメディアサービスシステムの運用手順を示す通信フローチャートである。
【図６】図２に示すマルチメディアサービスシステムの運用手順を示す通信フローチャートである。
【発明を実施するための形態】
【００１３】
以下、本発明を実施するための形態の具体例を、図面を参照しながら詳細に説明する。以下で本発明を説明するに当たって、関連する公知機能又は構成に対する具体的な説明が本発明の要旨を不要に不明確にする恐れがあると判断される場合、その詳細な説明を省略する。そして、後述する用語は、本発明における機能を考慮して定義した用語であってこれはユーザ、運用者の意図又は慣例などに応じて異なることがある。従って、その定義は本明細書全般に亘る内容に基づいて行われるべきである。
【００１４】
本発明は、建物に対する利用情報を、携帯端末を介して提供するマルチメディアサービスシステム及びその運用方法を提供する。本発明によるマルチメディアサービスシステムは、建物の階毎に区分されたマルチメディアサービスを、携帯端末を介して提供する。特に、本発明による携帯端末は、該当建物の階情報をサーバから獲得して高度を計算した後、計算した高度に該当する階を階情報から把握し、把握した階に対するマルチメディアサービスをサーバから提供されて出力する。本発明によるサーバは、建物の高度毎の階情報と階毎のマルチメディアサービスとを携帯端末に提供する。
【００１５】
図１は、本発明の一実施形態によるマルチメディアサービスシステムを示す図であり、図２は、本発明の他の実施形態によるマルチメディアサービスシステムを示す図である。
【００１６】
図１を参照すると、マルチメディアサービスシステムは、携帯端末１００とサーバ２００とを含む。携帯端末１００は、第１建物２１１に位置する場合、第１建物２１１の高度毎の階情報をサーバ２００に要求し、サーバ２００は、第１建物２１１の階情報を携帯端末１００に伝送する。携帯端末１００は、サーバ２００から第１建物２１１の階情報を受信して保存する。更に、携帯端末１００は、高度を測定し、測定した高度に該当する階を階情報から把握する。携帯端末１００は、把握した階に対するマルチメディアサービスをサーバ２００に要求し、サーバ２００は、把握した階に対するマルチメディアサービスを携帯端末１００に伝送する。携帯端末１００は、サーバ２００からマルチメディアサービスを受信してこれを出力する。特に、携帯端末１００は、高度計を構成して正確な高度を測定できるため、サーバ２００から獲得した階情報から正確な階を把握できる。サーバ２００は第１及び第２建物２１１、２１３の高度毎の階情報と階毎のマルチメディアサービスとを周期的に更新及び保存する。
【００１７】
携帯端末１００とサーバ２００は、セルラー通信又はワイファイ（Ｗｉｒｅｌｅｓｓ  Ｆｉｄｅｌｉｔｙ）通信のうちのいずれか１つを利用して通信接続する。
【００１８】
マルチメディアサービスは、ショートメッセージ、数値データ、画像、動画、音声などで構成された情報の交換を提供する通信サービスをいい、例えば、建物の構造、施設、マップ、商店毎の販売イベントなどである。通常、このようなマルチメディアサービスをインドアサービス（ｉｎｄｏｏｒ  ｓｅｒｖｉｃｅ）ともいう。
【００１９】
図２を参照すると、第１及び第２建物２１１、２１３はそれぞれの開放型ネットワーク（例えば、ＤＬＮＡ：Ｄｉｇｉｔａｌ  Ｌｉｖｉｎｇ  Ｎｅｔｗｏｒｋ  Ａｌｌｉａｎｃｅ）を構成する。例えば、第１建物２１１は第１開放型ネットワークを構築する第１サーバ２００ａを構成し、第２建物２１３は第２開放型ネットワークを構築する第２サーバ２００ｂを構成する。携帯端末１００が第１サーバの通信半径２１２に位置する場合、即ち、第１建物２１１に位置する場合、携帯端末１００は、第１開放型ネットワークに参加して第１サーバ２００ａから第１建物２１１の階情報と、階毎のマルチメディアサービスとが提供される。更に、携帯端末１００が第２サーバの通信半径２１４に位置する場合、即ち、第２建物２１３に位置する場合、携帯端末１００は、第２開放型ネットワークに参加して第２サーバ２００ｂから第２建物２１３の階情報と、階毎のマルチメディアサービスとが提供される。
【００２０】
図３は、図２に示すマルチメディアサービスシステムの運用手順を概略的に示す図である。
【００２１】
図３を参照すると、携帯端末１００は、自らが位置する建物の階情報を第１又は第２サーバ２００ａ、２００ｂから獲得して保存する。例えば、建物の階情報は高度が０〜Ｈ１である場合に１階、Ｈ２〜Ｈ３である場合に２階、Ｈ４〜Ｈ５である場合に３階と定義する。携帯端末１００は、高度を測定し、測定した高度に該当する階を階情報から把握する。更に、携帯端末１００は、把握した階に対するマルチメディアサービスを第１又は第２サーバ２００ａ、２００ｂから提供されて出力する。
【００２２】
図４は、本発明の一実施形態によるマルチメディアサービスシステムのブロック構成図である。
【００２３】
以下の説明で、携帯用端末１００は、携帯電話（ｃｅｌｌｕｌａｒ  ｐｈｏｎｅ）、パーソナル通信サービス（ＰＣＳ）、携帯情報端末（ＰＤＡ）、ＩＭＴ−２０００端末、第４世代広帯域システム端末などを全て含む。
【００２４】
図４を参照すると、携帯用端末１００は、通信インタフェース部１０１、入力部１０３、表示部１０５、高度測定部１０７、ＧＰＳ受信部１０９、カメラ部１１１、映像コーデック部１１３、音声コーデック部１１５、スピーカ１１７、マイクロホン１１９、保存部１２１、及び制御部１２３を含む。
【００２５】
通信インタフェース部１０１は、映像通信、音声通信、及びデータ通信を可能にするハードウェア及びソフトウェア構成を有する。
【００２６】
入力部１０３は、ユーザの入力を受信し、それに相応する入力信号を制御部１２３に提供する。表示部１０５は、制御部１２３の制御下で映像を出力する。
表示部１０５は、映像コーデック部１１３を介して復調された映像データを出力する。
【００２７】
高度測定部１０７は、高度計を含み、海抜高度を計算してこれを制御部１２３に知らせる。ＧＰＳ受信部１０９は、ＧＰＳ衛星を用いて地表面上の位置を把握してこれを制御部１２３に知らせる。
【００２８】
カメラ部１１１は、被写体を撮像して映像データを生成し、これを映像コーデック部１１３に出力する。
【００２９】
映像コーデック部１１３は、カメラ部１１１から提供された映像データを符号化して制御部１２３に提供する。また、映像コーデック部１１３は、制御部１２３から提供された映像データを復号した後、表示部１０５に提供する。
【００３０】
音声コーデック部１１５は、マイクロホン１１９から提供される音声データを符号化して制御部１２３に提供する。また、音声コーデック部１１５は、制御部１２３から提供された音声データを復号した後、スピーカ１１７に提供する。
【００３１】
保存部１２１は、携帯端末１００の全般的な動作を制御するプログラムと携帯端末の制御動作が行われる時に入出力される各種データを保存する。特に、保存部１２１は、サーバ２００から提供された該当建物の階情報と建物の高度毎のマルチメディアサービスとを保存する。
【００３２】
制御部１２３は、映像通信、音声通信、及びデータ通信のための処理及び制御を行う。特に、制御部１２３は、ＧＰＳ受信部１０９から把握した位置に対する建物の階情報をサーバ２００に要求し、高度測定部１０７で測定した高度に該当する階を階情報から把握し、把握した階に対するマルチメディアサービスをサーバ２００に要求する。制御部１２３は、サーバ２００から受信した建物の階情報を保存し、サーバ２００から受信したマルチメディアサービスを表示部１０５及びスピーカ１１７に出力させる。
【００３３】
サーバ２００は、通信インタフェース部２０１、階情報提供部２０３、及びマルチメディアサービス提供部２０５を含む。
【００３４】
通信インタフェース部２０１は、携帯端末１００との通信を可能にするハードウェア及びソフトウェア環境を有する。
【００３５】
階情報提供部２０３は、各建物に対する高度毎の階情報を保存しており、これを携帯端末１００に提供する。
【００３６】
マルチメディアサービス提供部２０５は、各建物の階毎のマルチメディアサービスを保存しており、これを携帯端末１００に提供する。
【００３７】
図２で上述したが、各建物は構内ネットワークを構成する各サーバを構成できる。例えば、第１建物は開放型構内ネットワークを構成する第１サーバを構成し、第２建物は開放型構内ネットワークを構成する第２サーバを構成する。
【００３８】
図５は、図１に示すマルチメディアサービスシステムの運用手順を示す通信フローチャートである。
【００３９】
図５を参照すると、携帯端末１００は、現在該当建物に位置することを把握する（ステップ３０１）。
【００４０】
携帯端末１００は、サーバ２００に建物の階情報を要求し（ステップ３０３）、サーバ２００は、携帯端末１００に建物の階情報を伝送する（ステップ３０５）。
【００４１】
携帯端末１００は、サーバ２００から建物の階情報を受信して保存する（ステップ３０７）。
【００４２】
携帯端末１００は、高度を計算し、計算した高度に該当する階を階情報から把握する（ステップ３０９）。
【００４３】
携帯端末１００は、把握した階に対するマルチメディアサービスをサーバ２００に要求し（ステップ３１１）、サーバ２００は、マルチメディアサービスを携帯端末１００に伝送する（ステップ３１３）。
【００４４】
携帯端末１００は、サーバ２００からマルチメディアサービスを受信してこれを出力する（ステップ３１５）。
【００４５】
図６は、図２に示すマルチメディアサービスシステムの運用手順を示す通信フローチャートである。
【００４６】
図６を参照すると、携帯端末１００は、建物に構成されたサーバ（２００ａ又は２００ｂ）の開放型ネットワークに参加する（ステップ４０１）。例えば、携帯端末１００は、建物に進入してサーバ２００ａの開放型ネットワークに参加する。
【００４７】
携帯端末１００は，サーバ２００ａに建物の階情報を要求し（ステップ４０３）、サーバ２００ａは，携帯端末１００に建物の階情報を伝送する（ステップ４０５）。
【００４８】
携帯端末１００は、サーバ２００ａから建物の階情報を受信して保存する（ステップ４０７）。
【００４９】
携帯端末１００は、高度を計算し、計算した高度に該当する階を階情報から把握する（ステップ４０９）。
【００５０】
携帯端末１００は、把握した階に対するマルチメディアサービスをサーバ２００ａに要求し（ステップ４１１）、サーバ２００ａは、マルチメディアサービスを携帯端末１００に伝送する（ステップ４１３）。
【００５１】
携帯端末１００は、サーバ２００ａからマルチメディアサービスを受信してこれを出力する（ステップ４１５）。
【００５２】
以上、本発明の実施形態について図面を参照しながら説明したが、本発明は、上述の実施形態に限定されるものではなく、本発明の技術的範囲から逸脱しない範囲内で多様に変更実施することが可能である。
【符号の説明】
【００５３】
１００    携帯端末
１０１、２０１    通信インタフェース部
１０３    入力部
１０５    表示部
１０７    高度測定部
１０９    ＧＰＳ受信部
１１１    カメラ部
１１３    映像コーデック部
１１５    音声コーデック部
１１７    スピーカ
１１９    マイクロホン
１２１    保存部
１２３    制御部
２００、２００ａ、２２０ｂ    サーバ
２０３    階情報提供部
２０５    マルチメディアサービス提供部
２００ａ    第１サーバ
２１１    第１建物
２１２    第１サーバの通信半径
２００ｂ    第２サーバ
２１３    第２建物
２１４    第２サーバの通信半径
【図１】
2013172452.tif 000003
【図２】
2013172452.tif 000004
【図３】
2013172452.tif 000005
【図４】
2013172452.tif 000006
【図５】
2013172452.tif 000007
【図６】
2013172452.tif 000008